(57)【要約】      （修正有）【課題】ペットの供養と尊厳を保ち形態性や質感を有し、かつ安価に提供できるペットの骨壷を提供する。【解決手段】ペットの骨壷１は、犬、猫その他のペットの遺骸が火葬に付された後に残る遺骨を納める骨壷であって、円形の横断面形状を有する有底筒状の、ペットの骨を収納する本体２と、その本体２の開口部４に被せられる円形の蓋３とを備える。本体２の外周面である本体外周面は、開口部４の側から底部の側に向けて漸次外径が増大した後に減少に転じる滑らかに変化する膨出形態の凸曲面を備える。底部の外径は、開口部４の外径より小さくなる下すぼみの形態をなす。【選択図】図１
0003162684.tif 000002
【実用新案登録請求の範囲】
【請求項１】
犬、猫その他のペットの遺骸が火葬に付された後に残る遺骨を納める骨壷であって、
円形の横断面形状を有する有底筒状の、前記ペットの骨を収納する本体と、その本体の開口部に被せられる円形の蓋とを備え、
前記本体の外周面は、前記開口部の側から底部の側に向けて漸次外径が増大した後に減少に転じる滑らかに変化する膨出形態の凸曲面を備え、前記底部の外径は前記開口部の外径より小さくなる下すぼみの形態をなし、
前記蓋はその下面に前記本体の開口部の内周面に嵌る円形凸部を備え、かつその円形凸部が前記本体の開口部内周面に嵌った状態で、その蓋の外周面と該本体の外周面とが連続的に連なる外周面を形成するとともに、
前記本体及び蓋はいずれも古紙を原料として押圧固化された古紙製のものであることを特徴とするペットの骨壷。
【請求項２】
前記本体の底部の外側下面は上向きに窪んだ凹面とされ、その底部の該凹面の周縁をなす円環状の周縁部が水平面への着座面とされる請求項１に記載のペットの骨壷。
【請求項３】
前記蓋の上面は上に凸球面状となる凸曲面として形成され、前記本体の前記開口部の側から底部の側へ続く凸曲面と合わせて少なくとも２つの凸曲面を備える請求項１又は２に記載のペットの骨壷。
【請求項４】
前記本体の底部において、その底部内面は上側に湾曲状に凸となる凸曲面とされ、かつその底部近傍の内周面から底部内面にかけて円弧状に滑らかにつながる湾曲面を備える請求項１ないし３のいずれか１項に記載のペットの骨壷。
【請求項５】
前記本体の外周面は、前記開口部の側から底部の側に向けて、いったん外径が漸次減少して回復に転じる凹曲面と、その凹曲面に連続して前記外径が増大した後に減少に転じる前記膨出形態の凸曲面とを備え、それら凹曲面と凸曲面とが前記開口部から前記底部へ滑らかに連続する複合的な外周面とされた請求項１ないし４のいずれか１項に記載のペットの骨壷。
【考案の詳細な説明】
【技術分野】
【０００１】
本考案は、犬、猫その他のペットの遺骸が火葬に付された後に残る遺骨を収納する骨壷に関する。
【背景技術】
【０００２】
今日、犬や猫をはじめとするペットブームが続いており、老齢又は病気、事故等によりペットが死んだとき、その遺骸を火葬することも珍しくなくなり、その際に飼い主は遺骨を保存しペットの墓に納骨し、又は別の方法で供養することを望むのが普通である。しかし、ペット用の骨壷として下記の特許文献１等の提案があるが、形態的にも質的にも軽薄な感を否めず、ペットの供養の趣旨と尊厳を保ち、価格的にも飼い主の満足が得られる骨壷とは言い難い。
【先行技術文献】
【特許文献】
【０００３】
【特許文献１】実用新案登録第３１５６６８４号公報
【考案の概要】
【考案が解決しようとする課題】
【０００４】
この考案は、ペットの供養と尊厳を保ち形態性や質感を有し、かつ安価に提供できるペットの骨壷を提供することを課題とする。
【課題を解決するための手段及び考案の効果】
【０００５】
この考案は、犬、ネコその他のペットの遺骸が火葬に付された後に残る遺骨を納める骨壷であって、
円形の横断面形状を有する有底筒状の、前記ペットの骨を収納する本体と、その本体の開口部に被せられる円形の蓋とを備え、
前記本体の外周面は、前記開口部の側から底部の側に向けて漸次外径が増大した後に減少に転じる滑らかに変化する膨出形態の凸曲面を備え、前記底部の外径は前記開口部の外径より小さくなる下すぼみの形態をなし、
前記蓋はその下面に前記本体の開口部の内周面に嵌る円形凸部を備え、かつその円形凸部が前記本体の開口部内周面に嵌った状態で、その蓋の外周面と該本体の外周面とが連続的に連なる外周面を形成するとともに、
前記本体及び蓋はいずれも古紙を原料として押圧固化された古紙製のものであることを特徴とする。
【０００６】
このようにすれば、まずこの骨壷は本体も蓋も古紙製であるから、古紙のリサイクルに貢献し、地球環境に資する。また原料の古紙は廃棄や焼却処分を回避する形で入手できるからコスト的にも安価に製造できる。さらに本体の外面は滑らかに膨出する凸曲面を開口部の側から底部側に向けて備え、かつ底部は開口部より小径に窄まり、柔和さと落着き、気品を兼ね備えた形態となるから、ペットの遺骨を収納する上で、その供養の趣旨や尊厳が保たれる。さらに、この骨壷がもし不要になった場合は、元々古紙製であるから、再度古紙としてリサイクルすることができ、骨壷に再生することも可能である。仮に焼却や埋める場合でも、古紙製であるから有害なガスが発生せず、また土中では古紙原料（植物繊維等）にバクテリアが作用して土に戻すことができ、環境にきわめて優しい骨壷と言える。
【０００７】
またこの考案では、前記本体の底部の外側下面は上向きに窪んだ凹面とされ、その底部の該凹面の周縁をなす円環状の周縁部が水平面への着座面とされる。
【０００８】
これにより、骨壷が安定して水平面に着座でき、また古紙原料が節約される。
【０００９】
またこの考案では、前記蓋の上面は上に凸球面状となる凸曲面として形成され、前記本体の前記開口部の側から底部の側へ続く凸曲面と合わせて少なくとも２つの凸曲面を備える。
【００１０】
これにより、本体の凸曲面（膨らみ）と蓋の凸曲面（膨らみ）とが融合し、それらの相乗効果により、全体としての外観から一層暖かさと優しさが醸し出される。
【００１１】
またこの考案では、前記本体の底部において、その底部内面は上側に湾曲状に凸となる凸曲面とされ、かつその底部近傍の内周面から底部内面にかけて円弧状に滑らかにつながる湾曲面を備える。
【００１２】
これにより、本体の内面も曲面的に構成され、外観のみならず内部をみても角がとれた穏やかな印象を生じるとともに、直角等の角がある場合に比べて強度も高い。
【００１３】
またこの考案では、前記本体の外周面は、前記開口部の側から底部の側に向けて、いったん外径が漸次減少して回復に転じる凹曲面と、その凹曲面に連続して前記外径が増大した後に減少に転じる前記膨出形態の凸曲面とを備え、それら凹曲面と凸曲面とが前記開口部から前記底部へ滑らかに連続する複合的な外周面とされる。
【００１４】
これにより、本体の外観は開口部の側から凹曲面を経て凸曲面へ、さらに底部へと滑らかに連続し、優しさの中にも一定の動きを感じさせる斬新な形態となる。
【図面の簡単な説明】
【００１５】
【図１】本考案の実施例１であるペットの骨壷の斜視図。
【図２】図１の正面図。
【図３】図２のＡ−Ａ断面図。
【図４】図１の平面図。
【図５】図１の底面図。
【図６】本体のみを示す（ａ）平面図、（ｂ）正面図、（ｃ）底面図、（ｄ）上方側斜視図、（ｅ）下方側斜視図。
【図７】蓋のみを示す（ａ）平面図、（ｂ）正面図、（ｃ）底面図、（ｄ）上方側斜視図、（ｅ）下方側斜視図。
【図８】本体及び蓋の上側から見た分解斜視図。
【図９】本体及び蓋の下側から見た分解斜視図。
【図１０】蓋の上面を扁平させた実施例２を示す正面図。
【図１１】本体外周面の形状に円筒部を有する実施例３を示す正面図。
【図１２】ペットの骨壷（本体）の製造方法の切断工程を示す説明図。
【図１３】図１２に続く攪拌・脱水工程を示す説明図。
【図１４】図１３に続く成形工程を示す断面図。
【図１５】図１４に続く抜き出し工程における第１成形型を外した状態示す断面図。
【図１６】図１５に続く抜き出し工程におけるエジェクタピンで本体を突き上げた状態を示す断面図。
【考案を実施するための形態】
【００１６】
（実施例１）
以下、本考案の実施例の形態を図面を参照しつつ説明する。図１は、本考案の実施例１であるペットの骨壷１の斜視図である。
【００１７】
図１に示すように、本考案のペットの骨壷１は、犬、猫その他のペットの遺骸が火葬に付された後に残る遺骨を納める骨壷であって、円形の横断面形状を有する有底筒状の、ペットの骨を収納する本体２と、その本体２の開口部４に被せられる円形の蓋３とを備える。このペットの骨壷１は、例えば高さ約１５０ｍｍ程度、直径約１３０ｍｍ程度とされる。
【００１８】
図２に示すように、本体２の外周面である本体外周面５は、開口部４の側から底部６の側に向けて漸次外径が増大した後に減少に転じる滑らかに変化する膨出形態の凸曲面７を備える。底部６の外径は、開口部４の外径より小さくなる下すぼみの形態をなす。より具体的に本体外周面５は、開口部４の側から底部６の側に向けてその外径の増大が始まる部分をｄ１、外径が最大になる部分をｄ２、外形が最小になる部分をｄ３とすると、ｄ２＞ｄ１＞ｄ３の関係となる。また、本体外周面５は、開口部４直近から下側にかけて、開口部４の外径ｄ０と同じ外径が、いったん漸次減少して回復に転じる凹曲面１８と、その凹曲面１８に連続して前記外径が増大した後に減少に転じる前記膨出形態の凸曲面７とが、開口部４から底部６へ滑らかに連続する複合的な外周面である。
【００１９】
図３に示すように、本体２の底部６において、その底部内面８は、上側に湾曲状に凸となる凸曲面とされ、かつその底部６近傍の内周面から底部内面８にかけて円弧状に滑らかにつながる湾曲面である底部湾曲面９を備える（図６（ａ）も参照）。
【００２０】
図４に示すように、本体２の外径が最大となる凸曲面７が、平面視で蓋３の外径よりもさらに拡径して突出する形態をなしており、丸みを帯びた柔らかい印象を与える。
【００２１】
図５に示すように、本体２の底部６の外側下面である底部外側下面１０は、上向きに窪んだ凹面とされ（図３も参照）、その底部６の凹面の周縁をなす円環状の周縁部１１が水平面への着座面とされる。
【００２２】
図６に示すように、本体部２の開口部４は、蓋３が着座する開口縁１２を備えており、その厚みは例えば１０ｍｍ程度とされる。本考案のペットの骨壷１では、この開口縁１２の厚みが十分に確保されているので、本体２に対し蓋３をより安定して着座させることが可能になる。さらに、開口部４の強度が増して本体２は型崩れ等が発生しにくくなる。
【００２３】
図７に示すように、蓋３はその下面に、本体２の開口部内周面１３（図３も参照）に嵌る円形凸部１４と、その円形凸部１４の外周に円環状に形成された蓋着座面１７とを備える。そして、その円形凸部１４が本体２の開口部内周面１３に嵌った状態で、図２に示すように、その蓋３の外周面である蓋外周面１５と、本体外周面５とが連続的に連なる外周面とされる。
【００２４】
また、図７に戻り、蓋３の上面は、上に凸球面状となる凸曲面である蓋上面部１６として形成され、本体２の開口部４の側から底部６の側へ続く凸曲面７と合わせて２つの凸曲面を備える。
【００２５】
図８、９に示すように、蓋３を本体２に被せる際は、蓋３の下面に形成された円形凸部１４が、本体２の開口部内周面１３に嵌るとともに、蓋３の蓋着座面１７が、本体２の開口縁１２に着座して、蓋３が本体２に対し前後左右方向へ位置決めされる。なお、図示しないが例えば、ペットの遺骨が収容される骨壷であることを考慮して、葬儀用の和紙をかけて紐等で蓋３を固定することができる。
【００２６】
以下、他の実施例の形態を図面を参照しつつ説明する。なお、実施例１と共通の部分は、共通の符号を付して説明を省略する。
【００２７】
（実施例２）
図１０に示すように、蓋３の上面を、扁平状に形成された扁平上面２２とすることができる。このようにすれば、本体２の凸曲面７による膨らみに対して、凸面が形成されないこの蓋３の扁平上面によるシンプルなイメージがアクセントになり、全体がスマートな印象を与える。さらに蓋３を紐等で固定するのが容易になる。
【００２８】
（実施例３）
図１１に示すように、本体外周面５は、開口部４の側から底部６の側に向けて、本体２の中央付近まで曲面が形成されない垂直の円筒部２５が形成され、その円筒部２５に続いて、漸次外径が増大した後に減少に転じる滑らかに変化する膨出形態の凸曲面７を備えることができる。底部６の外径は、開口部４の外径より小さくなる下すぼみの形態をなす。
【００２９】
以下、本考案のペットの骨壷１の材質について説明する。
【００３０】
本体２及び蓋３はいずれも一般的な古紙を原料として押圧固化された古紙製のものである。より具体的には、古紙は、例えば使用済みのコピー用紙、古新聞、古雑誌、ダンボール、牛乳パック等が使用される。ただし、古紙の印刷密度（インク分布密度）が少ないものが好適に用いられる。なぜなら、印刷密度が高いものは、その印刷部分が成形時に黒い点状として残って、完成品の外観の美感が損なわれてしまうためである。また、押圧固化の際、古紙のバインダー（接合材；つなぎ）として、例えばコンスターチが使用される。必ずしもバインダーを使用する必要はないが、バインダーを使用することで、より確実に古紙が固化されて型崩れが発生しにくい。なお、このバインダーは、デンプンや一般的なのり等を使用してもよい。
【００３１】
また、顔料を使用して古紙原料を所望の色に着色することも可能である。したがって、例えば対象となるペットのイメージに合わせて着色すれば、飼い主のペットに対する供養の意識も高まって本考案を使用した満足感が高まる。
【００３２】
以下に、本考案であるペットの骨壷１（本体２）の製造方法の一例を説明する。
【００３３】
（切断工程）
図１２に示すように、例えば、使用済みのコピー用紙、古新聞、古雑誌、ダンボール、牛乳パック等の古紙４０を回収し選別する。上記したように、古紙４０の印刷密度（インク分布密度）は少ないものが良い。回収した古紙４０はシュレッダーで切断する（クロスカッター方式が好ましい）。
【００３４】
（攪拌・脱水工程）
図１３に示すように、例えば約７００ｇ〜８００ｇ程度の古紙４０に、水４１を例えば１リットル混入し、所望の色の顔料４２を加えて、攪拌機４３で例えば２０分程度攪拌し、その後脱水する。これにより古紙材料４４が得られる。
【００３５】
（成形工程）
図１４に示すように、攪拌・脱水工程により得られた古紙材料４４を成形型４５に入れる。成形型４５は、上下に２分割されたものが合体されており、成形型４５の上部を第１成形型４６、下部を第２成形型４７としている。本考案のペットの骨壷１は、射出成形をするような加圧成形ではなく、本体２の外周面は、成形型４５内周面の転写により成形し、本体２の内周面は、型成形用の冶具５０がモータによって回転して古紙原料４４を内方から外方に向かって押圧しながら成形する。なお、図示しないが、古紙材料４４自体をモータによって回転させて、冶具５０を従動させて成形することもできる。
【００３６】
（抜き出し工程）
最後に図１５に示すように、本体２が成形型４５に嵌った状態で上部の第１成形型４６のみを取り外し、図１６に示すように、下部の第２成形型４７の下面から本体２の底部外側下面１０をエジェクタピン４８で突き上げて本体２を取り出すことで本体２が完成する。
【００３７】
以上、本考案の実施の形態を説明したが、これらはあくまで例示にすぎず、本考案はこれらに限定されるものではなく、実用新案登録請求の範囲の趣旨を逸脱しない限りにおいて、当業者の知識に基づく種々の変更が可能である。
【符号の説明】
【００３８】
１  ペットの骨壷
２  本体
３  蓋
４  開口部
５  本体外周面
６  底部
７  凸曲面
８  底部内面
９  底部湾曲面
１０  底部外側下面
１４  円形凸部
１５  蓋外周面
１８  凹曲面
【図１】
0003162684.tif 000003
【図２】
0003162684.tif 000004
【図３】
0003162684.tif 000005
【図４】
0003162684.tif 000006
【図５】
0003162684.tif 000007
【図６】
0003162684.tif 000008
【図７】
0003162684.tif 000009
【図８】
0003162684.tif 000010
【図９】
0003162684.tif 000011
【図１０】
0003162684.tif 000012
【図１１】
0003162684.tif 000013
【図１２】
0003162684.tif 000014
【図１３】
0003162684.tif 000015
【図１４】
0003162684.tif 000016
【図１５】
0003162684.tif 000017
【図１６】
0003162684.tif 000018